(57)【要約】      （修正有）【課題】放熱体のベース部が薄肉に形成されてもカバー内に虫等が侵入しにくい光源ユニットを配設する照明器具を提供する。【解決手段】照明器具１は、発光体５と、ベース部１１、発光体５を取り付ける取付部および発光体５の発熱を放熱する放熱部１３を有する放熱体６と、光出射部１８の縁部にそれぞれ立設された一対の第１の壁部が取付部に接触し、一対の第２の壁部２０がベース部１１に覆い被さるようにしてベース部１１に取り付けられた透光性のカバー体７と、上板部２５の両端から垂下する一対の垂下部２６が第１の壁部に覆い被さるようにしてベース部１１の両側に取り付けられた器具本体３と、を具備している。【選択図】図１
2017126458.tif 000002
【特許請求の範囲】
【請求項１】
基板およびこの基板に実装された半導体発光素子を有する発光体と；  矩形状のベース部、このベース部の一面側に前記基板を取り付ける取付部および前記ベース部の他面側に前記半導体発光素子の発熱を放熱する放熱部を有する放熱体と；  矩形状の光出射部、この光出射部のそれぞれの正対する縁部にそれぞれ連なって立設された一対の第１の壁部および一対の第２の壁部を有し、前記一対の第１の壁部が前記取付部に接触し、前記一対の第２の壁部が前記ベース部に覆い被さるようにして前記ベース部に取り付けられた透光性のカバー体と；  矩形状の上板部およびこの上板部の両端から垂下する一対の垂下部を有し、この一対の垂下部が前記第１の壁部に覆い被さるようにして前記ベース部の両側に取り付けられた器具本体と；を具備していることを特徴とする照明器具。
【請求項２】
前記放熱体の前記取付部および前記発光体の前記基板の間に設けられた放熱シートと；を具備し、前記カバーの前記一対の第２の壁部は、それぞれ先端側の内面に先端面と段差する段差面を有し、前記放熱シートは、前記取付部と前記段差面との間で挟み込まれていることを特徴とする請求項１記載の照明器具。
【発明の詳細な説明】
【技術分野】
【０００１】
本発明の実施形態は、半導体発光素子を光源とし、この光源を覆う透光性のカバーを有する照明器具に関する。
【背景技術】
【０００２】
照明器具は、現今、光源としてＬＥＤ等の半導体発光素子が用いられている。そして、体育館や多目的ホールなどの高天井用照明器具においては、例えば多数個のＬＥＤを搭載するヒートシンク構造の光源ユニット（照明ユニット）が配設され、大光束の照明光を確保するとともにＬＥＤから発生する大容量の熱を放熱させているものがある。光源ユニットは、例えば、基板およびこの基板に実装されたＬＥＤを有するＬＥＤモジュールと、高熱伝導率を有するベース部およびこのベース部の背面に形成された放熱フィンを有する放熱体（ヒートシンク）と、ＬＥＤモジュールを覆うように設けられた透光性のカバーとを有してなり、ベース部の前面にＬＥＤモジュールが配設されている。  
【０００３】
カバーは、ＬＥＤの放射光の眩しさを低減するとともに、ＬＥＤモジュールへの外部からの接触や直接的な衝撃の加わりなどを防止する役目を担っている。そして、光源ユニットは、放熱体のベース部の両側（両側面側）が器具本体や枠体（フレーム）などにねじ等を用いて取り付けられている。また、カバーは、同じくベース部の側面側に取り付けられており、例えば、ねじによりベース部と共締めされて取り付けられているものがある（例えば特許文献１参照。）。  
【０００４】
しかしながら、カバーをベース部の側面側に取り付ける光源ユニットは、ベース部の厚さ（高さ）が大きくなり、放熱体が比較的軽量のアルミニウム（Ａｌ）であっても重量化し、材料費が高価になっている。このため、光源ユニットは、ベース部の厚さを小さくして、カバーをベース部の前面側に取り付けているものがある。
【先行技術文献】
【特許文献】
【０００５】
【特許文献１】特開２０１３−２０１０８０号公報（第７頁、第３図）
【発明の概要】
【発明が解決しようとする課題】
【０００６】
しかしながら、カバーをベース部の前面側に取り付ける光源ユニットは、カバーとベース部との間に隙間が生じやすく、この隙間からカバー内に虫が侵入することがある。そして、虫が死骸となってカバー内に散らばった状態により、照明光の光束低下や照射むらなどが発生している。  
【０００７】
本発明の実施形態は、放熱体のベース部が薄肉に形成されてもカバー内に虫等が侵入しにくい光源ユニットを配設する照明器具を提供することを目的とする。
【課題を解決するための手段】
【０００８】
本実施形態の照明器具は、発光体、放熱体、カバー体および器具本体を有して構成される。発光体は、基板と、この基板に実装された半導体発光素子とを有して形成されている。  
【０００９】
放熱体は、矩形状に形成されたベース部と、このベース部の一面側に形成された取付部と、ベース部の他面側に形成された放熱部とを有して形成されている。取付部は、発光体の基板を取り付けている。放熱部は、半導体発光素子が発した熱が伝熱され、当該熱を空間に放熱する。  
【００１０】
カバー体は、透光性であり、矩形状に形成された光出射部と、一対の第１の壁部および一対の第２の壁部を有して形成されている。第１および第２の壁部は、それぞれ光出射部のそれぞれの正対する縁部に連なって立設されている。そして、カバー体は、放熱体のベース部に取り付けられている。このとき、一対の第１の壁部は、放熱体の取付部に接触しており、一対の第２の壁部は、放熱体のベース部に覆い被さっている。  
【００１１】
器具本体は、矩形状に形成された上板部と、この上板部の両端から垂下する一対の垂下部とを有して形成されている。そして、一対の垂下部は、カバー体の一対の第１の壁部に覆い被さるようにして放熱体のベース部の両側に取り付けられている。
【発明の効果】
【００１２】
本実施形態の照明器具によれば、カバー体の一対の第２の壁部が放熱体のベース部に覆い被さり、器具本体の一対の垂下部がカバー体の一対の第１の壁部に覆い被さっているので、放熱体のベース部と、カバー体の第１および第２の壁部との間からカバー体内に虫等が侵入しにくくなることが期待できる。
【図面の簡単な説明】
【００１３】
【図１】本発明の一実施形態を示す照明器具の概略斜視図である。
【図２】同上、照明器具の概略側面図である。
【図３】同上、照明器具の一部切り欠き概略正面図である。
【図４】同上、照明器具のカバー体を透視した概略下面図である。
【発明を実施するための形態】
【００１４】
以下、本発明の一実施の形態について、図面を参照して説明する。  
【００１５】
本実施形態の照明器具１は、体育館等の高天井に取り付けられるものであり、図１に示すように、光源ユニット２、器具本体３および支持部材４を有して構成されている。光源ユニット２は、器具本体３に収容されて固定されている。器具本体３は、支持部材４に搖動可能に取り付けられている。照明器具１は、支持部材４が例えば高天井の造営物（構造物）に固定され、器具本体３の向きを変えることにより光源ユニット２の照射方向を変えることができるように形成されている。  
【００１６】
そして、本実施形態の光源ユニット２は、発光体５、放熱体６およびカバー体７を有して形成されている。これら発光体５、放熱体６およびカバー体７は、発光体５およびカバー体７が放熱体６に取り付けられることにより一体化されている。  
【００１７】
発光体５は、発光モジュールやＬＥＤモジュールとも称されるものであり、図４に示すように、基板８およびこの基板８に実装された多数個の半導体発光素子としてのＬＥＤ素子９を有して形成されている。基板８は、例えば正四角形に形成された高熱伝導率を有する金属板、例えばアルミニウム板からなり、不図示の絶縁層を介して多数個のＬＥＤ素子９を実装している。ＬＥＤ素子９は、例えば白色光を放射するものであり、ねじ１０が貫通される領域などを除いて、基板８の絶縁層上に整列して密集し、かつ基板８の中心に対して１８０°回転対称となるように設けられている。  
【００１８】
放熱体６は、高熱伝導率を有する金属材料、例えばアルミニウム（Ａｌ）からなり、図３に示すように、ベース部１１、取付部１２および放熱部１３に形成されている。ベース部１１の一面側（前面側）は、その全域が平坦状に形成されて取付部１２となっている。そして、ベース部１１の他面側（背面側）が放熱部１３となっている。放熱体６は、例えばダイキャストにより形成されている。  
【００１９】
ベース部１１は、所定の厚さを有する板状に形成され、取付部１２がほぼ正四角形の矩形状となり、一方の両端側の他面側に一方の両端側に亘って直角に立設して正対する一対の突出部１４，１４を有するように形成されている。突出部１４，１４には、ねじ１５がねじ込まれる不図示のねじ孔が形成されている。突出部１４，１４は、ねじ１５のねじ孔が形成されるようにして取付部１２からの高さが低く設定されている。また、ベース部１１には、ねじ１０がねじ込まれる不図示の複数個のねじ孔が形成されている。ベース部１１の厚さは、ねじ１０，１５が完全に螺着可能に設定されている。そして、ベース部１１の突出部１４，１４を含む一方の両端面（両側面）１１ａ，１１ａおよび他方の両端面（両側面）１１ｂ，１１ｂ（図３中、一方のみを示す。）は、それぞれ平面となっている。  
【００２０】
取付部１２は、発光体５の基板８を取り付けている。本実施形態では、取付部１２と基板８との間に放熱シート１６を設けている。放熱シート１６は、熱伝導性、電気絶縁性、耐熱性や耐久性などに優れた放熱材からなり、例えば厚さ０．５〜３．０ｍｍを有するシリコーン系やアクリル系の合成樹脂が用いられている。また、放熱シート１６は、取付部１２とほぼ同等の大きさを有する矩形状に形成されている。そして、放熱シート１６は、高熱伝導性や高耐熱性などを有する接着材により、その全域が取付部１２に密着されている。  
【００２１】
発光体５の基板８は、放熱シート１６よりも小さな外形となるように形成されており、互いの中心がほぼ一致し、互いの矩形が同方向を向くようにして、放熱シート１６に密接されている。放熱シート１６は、発光体５のＬＥＤ素子９の発熱を迅速にベース部１１に熱伝導する。  
【００２２】
放熱部１３は、ベース部１１の他面（背面）１１ｃおよび他面１１ｃに立設する複数個の放熱フィン１７からなっている。放熱フィン１７は、ベース部１１の一対の突出部１４，１４間に所定の間隔を有して設けられ、ベース部１１の他方の両端面１１ｂ，１１ｂ間に亘って設けられている。放熱フィン１７は、放熱体６が重量化せず、器具本体３が大型化しないようにするとともに、放熱面積が大きくなるように、ベース部１１の他面１１ｃから所定の高さに設定され、厚さが薄く設定されている。放熱部１３は、ベース部１１に熱伝導したＬＥＤ素子９の発熱を外部空間に放熱する。  
【００２３】
そして、放熱体６は、発光体５を内包するカバー体７を取り付けている。カバー体７は、複数個のねじ１０によりベース部１１に取り付けられている。カバー体７は、例えば２〜５ｍｍの厚さを有する透光性の合成樹脂、例えばポリカーボネート樹脂やアクリル樹脂からなり、本実施形態では、矩形状の光出射部１８、一対の第１の壁部１９，１９および一対の第２の壁部２０，２０（図３中、一方のみを示す。）を有して形成されている。  
【００２４】
一対の第１の壁部１９，１９および一対の第２の壁部２０，２０は、それぞれ正対するように光出射部１８のそれぞれの正対する縁部に同方向にかつ光出射部１８に対してほぼ直角となるように立設されているとともに連なって設けられている。すなわち、第１の壁部１９，１９および第２の壁部２０，２０は、光出射部１８の縁部に周回に亘って隙間がないように設けられている。また、第１の壁部１９，１９および第２の壁部２０，２０は、光出射部１８からのそれぞれの高さが異なり、第２の壁部２０，２０の高さが第１の壁部１９，１９の高さよりも大きくなっている。  
【００２５】
光出射部１８は、第１の壁部１９，１９の両外面間が放熱体６のベース部１１の一方の両端面１１ａ，１１ａ間と同等となり、第２の壁部２０，２０の両内面間がベース部１１の他方の両端面１１ｂ，１１ｂ間とほぼ同等となるように矩形状の大きさが設定されている。なお、本実施形態において、同等とは、数学的な等号関係を意味するものではなく、目視的な同等であればよいものである。以下の同一面状などの等号関係を表す場合においても同様である。  
【００２６】
カバー体７は、第１の壁部１９，１９の先端側がベース部１１側に接触して、すなわち、本実施形態では放熱シート１６に接触して、第１の壁部１９，１９の両外面がベース部１１の一方の両端面１１ａ，１１ａと同一面状となり、第２の壁部２０，２０の両内面の先端側がベース部１１の他方の両端面１１ｂ，１１ｂに覆い被さるとともに接触または近接するようにして、ベース部１１に取り付けられている。ここで、第２の壁部２０，２０は、それぞれの先端側がベース部１１の他面１１ｃよりも放熱フィン１７側に延在していてもよいが、本実施形態では、ベース部１１の他方の両端面１１ｂ，１１ｂ内となるように光出射部１８からの高さが設定されている。これにより、ベース部１１の他面１１ｃおよび放熱フィン１７の通気が向上されている。  
【００２７】
また、本実施形態では、第２の壁部２０，２０は、図２に示すように、それぞれの先端側の内面２０ｂに先端面２０ｃと段差する段差面２１が形成されている。カバー体７のベース部１１への取付けにおいて、第２の壁部２０，２０は、それぞれの段差面２１，２１が放熱シート１６に当接（接触）し、それぞれの先端側の内面２０ｂ，２０ｂがベース部１１の他方の両端面１１ｂ，１１ｂに接触または近接するように設けられている。これにより、放熱シート１６は、ベース部１１の取付部１２と第２の壁部２０，２０の段差面２１，２１との間で挟み込まれている。  
【００２８】
光出射部１８には、図３に示すように、カバー体７の内部に突出する複数個の円柱状のダボ２２が設けられている。ダボ２２は、図４に示すように、光出射部１８の中心に対して９０°回転対称となる位置に４箇所ずつ合計８箇所に設けられている。また、ダボ２２は、図３に示すように、光出射面１８からの高さが第１の壁部１９，１９と同等となるように設けられている。そして、ダボ２２には、円柱状の凹部２３が形成されている。凹部２３の天井部には、ねじ１０の通孔が形成されている。発光体５の基板８および放熱シート１６にも、凹部２３の天板部の通孔に対応した通孔がそれぞれ形成されている。  
【００２９】
そして、凹部２３の天板部、基板８および放熱シート１６を通したねじ１０が放熱体６のベース部１１のねじ孔に完全にねじ込まれている。これにより、カバー体７は、第１の壁部１９，１９が放熱シート１６に接触してベース部１１の一方の両端面１１ａ，１１ａと同一面状となり、第２の壁部２０，２０がベース部１１の他方の両端面１１ｂ，１１ｂに覆い被さってベース部１１に取り付けられる。また、発光体５は、基板８が放熱シート１６を介してベース部１１の取付部１２とカバー体７のダボ２２の天板部との間で挟持されることにより、放熱シート１６に密接してベース部１１に固定される。こうして、発光体５、放熱体６およびカバー体７は、一体化されて光源ユニット２を形成している。  
【００３０】
光源ユニット２は、ベース部１１の突出部１４，１４においてねじ１５により器具本体３に取り付けられている。なお、図１および図２において、２４は、アクセサリ金具であり、カバー体７にボール等が直撃されるのを防止する防止部材が取り付けられるものである。アクセサリ金具２４は、ベース部１１の突出部１４，１４の中間において、放熱フィン１７，１７間のベース１１の他面１１ｃに取り付けられている。  
【００３１】
器具本体３は、例えば厚さ１．２ｍｍの鋼板を折曲等して形成され、図１に示すように、ほぼ正四角形の矩形状の上板部２５、この上板部２５の一方の両端から垂下する一対の垂下部２６，
２６および上板部２５の他方の両端から一対の垂下部２６，２６側に直角に折曲された略長方形であって幅小の側片部２７，２７を有して形成されている。一対の垂下部２６，２６間は、長方形に開口されている。側片部２７，２７は、平面状の上板部２５の変形に対する強度を向上させている。  
【００３２】
上板部２５には、電源箱２８が設けられている。この電源箱２８には、配線箱２９が設けられている。また、上板部２５の一方の両側には、上板部２５の他方の両側間の中間において、所定の幅を有する一対の取付板３０，３０が取り付けられている。一対の取付板３０，３０は、例えば1枚の長方形の鋼板をＬ形に折曲して形成されている。その鋼板の厚さは、器具本体３と同様に、例えば１．２ｍｍである。そして、一対の取付板３０，３０は、電源箱２８を介して正対するとともに電源箱２８から所定長離れるようにして上板部２５に不図示のねじにより取り付けられている。一対の取付板３０，３０は、上板部２５への取り付けにより器具本体３と一体化している。  
【００３３】
一対の垂下部２６，２６は、上板部２５と光源ユニット２の放熱フィン１７との間が相応の空間となるようにして光源ユニット２を収容する大きさに形成されている。すなわち、一対の垂下部２６，２６は、上板部２５からカバー体７の光出射部１８に達する垂下長を有してなり、カバー体７の一対の第１の壁部１９，１９に覆い被さることができるように形成されている。そして、一対の垂下部２６，２６にそれぞれ通した複数個のねじ１５が放熱体６の突出部１４，１４に設けられたねじ孔に完全にねじ込まれている。ねじ１５は、突出部１４の長手方向の複数箇所で突出部１４のねじ孔に螺着されている。こうして、一対の垂下部２６，２６は、ベース部１１の両側である両端面１１ａ，１１ａを取り付けて、光源ユニット２を収容するとともに、器具本体３と光源ユニット２とを一体化している。  
【００３４】
光源ユニット２は、カバー体７の一対の第２の壁部２０，２０が一対の垂下部２６，２６から外方に突出しなく、一対の垂下部２６，２６間に収容されている。この状態で、一対の垂下部２６，２６の内面とベース部１１の両端面１１ａ，１１ａとが接触（密接）し、一対の垂下部２６，２６の内面とカバー体７の第１の壁部１９，１９とが接触または近接している。  
【００３５】
一対の垂下部２６，２６には、それぞれ大面積の長方形の窓孔３１および上板部２５から窓孔３１に至る切り欠き部３２が形成されている。窓孔３１は、放熱体６の放熱部１３の通気性を向上させる役目を担っている。そして、切り欠き部３２，３２において、一対の取付板３０，３０が上板部２５に取り付けられている。  
【００３６】
上板部２５に設けられた電源箱２８は、略立方体の箱状に形成され、図３に示すように、複数個の取付片３３がねじ３４により上板部２５に固定されている。電源箱２８内には、発光体５のＬＥＤ素子９を点灯制御する点灯装置３５が設けられている。点灯装置３５は、回路基板３６，３６に実装された電子部品を含む不図示の回路部品により、交流電源を直流電源に変換してＬＥＤ素子９に定電流を供給する既知の回路構成により形成されている。  
【００３７】
電源箱２８からは、点灯装置３５の出力コード３７が導出されて発光体５に電気接続されている。そして、配線箱２９内には、外部の交流電源に接続された電源線と点灯装置３５の入力線とを電気接続するための端子台３８，３９が設けられている。  
【００３８】
そして、一対の取付板３０，３０には、互いに向き合う内側面にそれぞれ２個のナット４０，４１が溶接されて設けられ、ナット４０，４１のねじ部に通じる不図示の通孔がそれぞれ形成されている。ナット４０，４１は、取付板３０の幅方向の中央において取付板３０の突出方向（起立方向）に所定の間隔で設けられている。そして、ナット４０，４１に螺着されたボルト４２，４３により、一対の取付板３０，３０に支持部材４が取り付けられている。  
【００３９】
支持部材４は、例えば厚さ１．２ｍｍの１枚の鋼板を折曲等して形成したものである。すなわち、支持部材４は、平面状の水平部４４、この水平部４４の長手方向両端から直角に折曲された一対のアーム部４５，４５および水平部４４の短手方向両側から一対のアーム部４５，４５側に直角に折曲され、さらに先端側が互いに近づくように直角に折曲された側片部４６，４６（図３中、一方のみを示す。）を有して形成されている。水平部４４および一対のアーム部４５，４５は、図１に示すように、取付板３０とほぼ同幅に形成されている。水平部４４には、支持部材４を高天井側の造営物（構造物）に例えばボルトで取り付けるための複数個の取付孔４７および外部電源からの電源コードを配線箱２９側に引き込むための電源孔４８が設けられている。  
【００４０】
支持部材４は、図３に示すように、そのアーム部４５，４５が一対の取付板３０，３０の外側面に取り付けられている。アーム部４５，４５には、それぞれ取付板３０のナット４０，４１のそれぞれのねじ部および取付板３０の通孔に対応した不図示の２個の挿通孔が形成されている。この２個の挿通孔のうち、一方の挿通孔は、ボルト４２の雄ねじ部が挿通する円孔に形成され、他方の挿通孔５０は、図１または図２に示すように、ボルト４３の雄ねじ部が挿通するとともに、支持部材４に対して器具本体３がボルト４２側を支点として搖動可能に円弧状の長孔に形成されている。アーム部４５，４５のそれぞれの先端側は、半円状に形成されている。  
【００４１】
ボルト４２，４２は、図３に示すように、一対の取付板３０，３０のナット４０，４０にねじ込まれている。このとき、ボルト４２，４２は、一対の取付板３０，３０が搖動可能に、すなわち、器具本体３および光源ユニット２が搖動可能に、ボルト４２の頭部と取付板３０との間でアーム部４５を挟持するようにしてナット４０，４０にねじ込まれている。  
【００４２】
また、ボルト４３，４３は、一対の取付板３０，３０のナット４１，４１にねじ込まれている。このとき、ボルト４３は、その頭部と取付板３０との間でアーム部４５を強固に挟持するようにしてナット４１に完全にかつ強くねじ込まれている。これにより、ボルト４３，４３は、支持部材４に一対の取付板３０，３０を固定している。すなわち、支持部材４は、一対の取付板３０，３０を介して器具本体３を支持している。  
【００４３】
光源ユニット２は、ボルト４３，４３の締め付けを緩めることにより、アーム部４５，４５の挿通孔５０，５０の範囲内において、ボルト４２，４２を回転軸として搖動される。そして、挿通孔５０，５０内の所望の位置でボルト４３，４３の締め付けを再び強固にして一対の取付板３０，３０をアーム部４５，４５に固定することにより、光源ユニット２の照射方向が変えられる。当該照射方向の可変は、一対のアーム部４５，４５に対して例えば±３０°である。  
【００４４】
次に、本実施形態の作用について説明する。  
【００４５】
外部の交流電源が電源箱２８内の点灯装置３５に投入されると、点灯装置３５は、動作し、所定の定電流を出力コード３７により発光体５のＬＥＤ素子９に供給する。ＬＥＤ素子９は、点灯（発光）して白色光を放射するとともに発熱する。白色光は、カバー体７の光出射部１８を透過して床面側の外部空間を照明する。  
【００４６】
ＬＥＤ素子９の発熱は、発光体５の基板８から放熱シート１６に熱伝導され、放熱シート１６から放熱体６のベース部１１に熱伝導されて放熱部１３から器具本体３内に放熱される。器具本体３内の放熱は、放熱フィン１７，１７間などを通気する気流により、器具本体３の外部空間に放出される。これにより、発光体５の温度上昇が抑制される。  
【００４７】
そして、カバー体７から白色光が出射されていると、光源ユニット２および器具本体３の周りに虫が近づきやすくなる。光源ユニット２に近づいた虫は、光源ユニット２の周りの外部空間を自由奔放に飛び回り、そのうち、一部の極小の虫が光源ユニット２の隙間に侵入するような行動をとる。カバー体７内には、カバー体７自体と、カバー体７および放熱体６の取付部１２の境界から侵入することになる。  
【００４８】
カバー体７は、その光出射部１８にねじ１０が取り付けるダボ２２が設けられている。このダボ２２の天井部に形成された通孔は、ねじ１０が挿通されて、凹部２３の天井部側においてねじ１０により塞がれている。これにより、光出射部１８の凹部２３に侵入した虫がカバー体７内に侵入しなくなる。  
【００４９】
また、カバー体７は、一対の第１の壁部１９，１９および一対の第２の壁部２０，２０が光出射部１８の縁部に連なって立設されているので、第１の壁部１９と第２の壁部２０との境界が塞がれている。これにより、カバー体７内には、第１の壁部１９，１９側および第２の壁部２０，２０側から虫が侵入しなくなる。このように、カバー体７内には、カバー体７自体からの虫の侵入が防止されている。  
【００５０】
そして、一対の第１の壁部１９，１９は、器具本体３の一対の垂下部２６，２６の内面に接触または近接しているので、第１の壁部１９と垂下部２６との間には、虫が放熱体６の取付部１２に至るまでの隙間（侵入経路）が生じにくくなっている。また、放熱体６のベース部１１の一方の両端面１１ａ，１１ａは、一対の垂下部２６，２６の内面に接触（密接）しているので、ベース部１１の端面１１ａと垂下部２６との間には、虫が放熱体６の取付部１２に至るまでの隙間（侵入経路）が生じにくくなっている。これにより、器具本体３の一対の垂下部２６，２６側、すなわち、放熱体６のベース部１１の一方の両端面１１ａ，１１ａ側からカバー体７内に虫が侵入しにくくなる。  
【００５１】
また、一対の第２の壁部２０，２０は、ベース部１１の他方の両端面１１ｂ，１１ｂに覆い被さっているとともに接触または近接しているので、第２の壁部２０とベース部１１の他方の端面１１ｂとの間には、虫が放熱体６の取付部１２に至るまでの隙間（侵入経路）が生じにくくなっている。これにより、放熱体６のベース部１１の他方の両端面１１ｂ，１１ｂ側からカバー体７内に虫が侵入しにくくなる。  
【００５２】
このように、照明器具１は、虫がカバー体７内にカバー体７自体から侵入することがなく、かつ虫がカバー体７内に放熱体６側から侵入しにくくなっている。なお、虫に限らず、埃や塵などについても同様である。  
【００５３】
そして、本実施形態では、放熱体６の取付部１２と発光体５の基板８との間に放熱シート１６が設けられている。放熱シート１６は、取付部１２とほぼ同等の大きさおよび形状に形成され、取付部１２とカバー体７の一対の第２の壁部２０，２０に形成された段差面２１，２１との間で挟み込まれているとともに、取付部１２と放熱シート１６に当接（接触）している一対の第１の壁部１９，１９との間で挟み込まれている。これにより、カバー体７内は、密閉状態となっている。そして、仮に、虫がカバー体７および取付部１２の境界に侵入してきても、放熱シート１６によってカバー体７内への侵入が阻止される。  
【００５４】
本実施形態の照明器具１によれば、器具本体３の一対の垂下部２６，２６が放熱体６のベース部１１の一方の両端面１１ａ，１１ａに接触（密接）し、かつカバー体７の一対の第１の壁部１９，１９に覆い被さるとともに接触または近接し、カバー体７の一対の第２の壁部２０，２０が放熱体６のベース部１１の他方の両端面１１ｂ，１１ｂに覆い被さるとともに接触または近接しているので、虫等が侵入する隙間（侵入経路）が放熱体６の取付部１２に至るまで生じにくくなり、これにより、虫等がカバー体７内に侵入しにくいという効果を有する。  
【００５５】
また、照明器具１は、放熱体６の取付部１２と発光体５の基板８との間に放熱シート１６が設けられ、この放熱シート１６が取付部１２とカバー体７の第１の壁部１９，１９および第２の壁部２０，２０の段差面２１，２１との間で挟み込まれているので、カバー体７内が密閉状態となり、虫等がカバー体７内に侵入することを防止できるという効果を有する。  
【００５６】
なお、
本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５７】
１…照明器具、  ３…器具本体、  ５…発光体、  ６…放熱体、  ７…カバー体、  ８…基板、  ９…半導体発光素子としてのＬＥＤ素子、  １１…ベース部、  １２…取付部、  １３…放熱部、  １６…放熱シート、  １８…光出射部、  １９，１９…一対の第１の壁部、  ２０，２０…一対の第２の壁部、  ２１…段差面、  ２５…上板部、  ２６，２６…一対の垂下部
【図１】
2017126458.tif 000003
【図２】
2017126458.tif 000004
【図３】
2017126458.tif 000005
【図４】
2017126458.tif 000006